(57)【特許請求の範囲】
【請求項１】
上部が開口する器具と、
外周縁を下方内側に屈曲して形成した係合屈曲部を備え、前記器具の前記開口を覆うようにして前記器具の上部に取り付けられる天板と、
前記器具の前記開口の縁部に設けられ、前記天板の前記係合屈曲部に係合する器具側係合片と
を備えた加熱調理器であって、
前記器具側係合片は、
前記縁部の上方にまで延出された第１延出部と、
前記第１延出部の上部から前記器具から離間する方向に延出され、前記係合屈曲部の先端部に対して上方から係合する第２延出部と
を備え、
前記第２延出部は上方に突出する凸部形状を有することを特徴とする加熱調理器。
【請求項２】
前記係合屈曲部の先端部には、前記天板の下面に向かって前記天板の外側から内側にかけて斜め上方に傾斜する傾斜部が設けられていることを特徴とする請求項１に記載の加熱調理器。
【請求項３】
前記天板が前記器具の上部に対して水平方向への位置ずれ無く配置され、且つ前記器具側係合片の前記第２延出部が前記係合屈曲部に係合していない状態では、前記第２延出部の前記凸部形状の頂点上に前記傾斜部の外側の面が配置されることを特徴とする請求項２に記載の加熱調理器。
【請求項４】
前記天板には、前記器具又は前記器具内に搭載された部品に設けられた被固定部に固定する為の固定部が設けられていることを特徴とする請求項２に記載の加熱調理器。
【請求項５】
前記凸部形状は曲面形状であることを特徴とする請求項１から４の何れかに記載の加熱調理器。
【請求項６】
上部が開口し、当該開口の縁部から前記開口の内方に向かって略水平に延出された係合延出部を備える器具と、
前記器具の前記開口を覆うようにして前記器具の上部に取り付けられる天板と、
前記天板の下面外周部に設けられ、前記器具の前記係合延出部に係合する天板側係合片と
を備えた加熱調理器であって、
前記天板側係合片は、
前記下面外周部の下方にまで延出された第３延出部と、
前記第３延出部の下端部から略水平に折り返して前記天板から離間する方向に延出され、前記係合延出部に対して下方から係合する第４延出部と
を備え、
前記第４延出部は下方に突出する凸部形状を有することを特徴とする加熱調理器。
【発明の詳細な説明】
【技術分野】
【０００１】
本発明は、天板を備えた加熱調理器に関する。
【背景技術】
【０００２】
従来、外周縁を下方内側に向けて曲げ加工して形成した係合屈曲部を備え且つ本体ケースの上端のケース開口部を覆う天板を備えたビルトインコンロが知られている（例えば特許文献１参照）。ビルトインコンロのコンロ本体の本体ケースは、上方に開放する矩形箱状に形成されている。そのケース開口部の外周には、カウンタトップのカウンタ孔に係合する係合フランジが張り出している。その係合フランジのうち、本体ケースの前板に対応する前フランジ部には、天板に係合する複数の係合片が配設されている。係合片は長方形の金属板を曲げ加工して形成してある。係合片は前フランジ部に固定される基板部と、該基板部の端部に連続する屈曲起立部と、該屈曲起立部の上端から前方に水平に屈曲する係合板部とを備える。係合板部は、本体ケースのケース開口部を被蓋する天板の外周下部に形成された係合屈曲部に対して上方から係合する。
【先行技術文献】
【特許文献】
【０００３】
【特許文献１】特許第３７９５８３９号公報
【発明の概要】
【発明が解決しようとする課題】
【０００４】
しかしながら、特許文献１に記載のビルトインコンロでは、本体ケースの係合片に天板の係合屈曲部が係合できていない状態で天板を本体ケースに組み付けた場合、天板と本体ケースの上端との間にできる隙間は小さく、天板の係合屈曲部に隠れてしまうこともあり、天板の誤組み付けを外観で確認することは困難であった。また、本体ケースの係合片に天板の係合屈曲部が係合できていない状態でも、天板に設けられた固定用の孔の位置と、本体ケースに設けられた固定用の孔の位置とはずれないので、作業者は天板が誤組み付けの状態であることに気づかずにそのままビスを固定してしまうという問題点もあった。また、例え、天板を本体ケースにビスで固定した後に誤組み付けに気づいた場合でも、係合片が天板に押し潰されて変形している可能性があるため、係合片を再利用するには正確な補修作業が必要であった。
【０００５】
本発明の目的は、天板の誤組み付けを防止できる加熱調理器を提供することである。
【課題を解決するための手段】
【０００６】
本発明の請求項１に係る加熱調理器は、上部が開口する器具と、外周縁を下方内側に屈曲して形成した係合屈曲部を備え、前記器具の前記開口を覆うようにして前記器具の上部に取り付けられる天板と、前記器具の前記開口の縁部に設けられ、前記天板の前記係合屈曲部に係合する器具側係合片とを備えた加熱調理器であって、前記器具側係合片は、前記縁部の上方にまで延出された第１延出部と、前記第１延出部の上部から前記器具から離間する方向に延出され、前記係合屈曲部の先端部に対して上方から係合する第２延出部とを備え、前記第２延出部は上方に突出する凸部形状を有することを特徴とする。
【０００７】
また請求項２に係る発明の加熱調理器は、請求項１に記載の発明の構成に加え、前記係合屈曲部の先端部には、前記天板の下面に向かって前記天板の外側から内側にかけて斜め上方に傾斜する傾斜部が設けられている。
【０００８】
また請求項３に係る発明の加熱調理器は、請求項２に記載の発明の構成に加え、前記天板が前記器具の上部に対して水平方向への位置ずれ無く配置され、且つ前記器具側係合片の前記第２延出部が前記係合屈曲部に係合していない状態では、前記第２延出部の前記凸部形状の頂点上に前記傾斜部の外側の面が配置されることを特徴とする。
【０００９】
また請求項４に係る発明の加熱調理器は、請求項２に記載の発明の構成に加え、前記天板には、前記器具又は前記器具内に搭載された部品に設けられた被固定部に固定する為の固定部が設けられている。
【００１０】
また請求項５に係る発明の加熱調理器は、請求項１から４の何れかに記載の発明の構成に加え、前記凸部形状は曲面形状である。
【００１１】
また請求項６に係る発明の加熱調理器は、上部が開口し、当該開口の縁部から前記開口の内方に向かって略水平に延出された係合延出部を備える器具と、前記器具の前記開口を覆うようにして前記器具の上部に取り付けられる天板と、前記天板の下面外周部に設けられ、前記器具の前記係合延出部に係合する天板側係合片とを備えた加熱調理器であって、前記天板側係合片は、前記下面外周部の下方にまで延出された第３延出部と、前記第３延出部の下端部から略水平に折り返して前記天板から離間する方向に延出され、前記係合延出部に対して下方から係合する第４延出部とを備え、前記第４延出部は下方に突出する凸部形状を有することを特徴とする。
【発明の効果】
【００１２】
請求項１に係る発明の加熱調理器では、器具側係合片に天板の係合屈曲部が正常に係合していない場合、第２延出部の凸部形状の上に係合屈曲部が載る状態となる。これにより天板が器具の上面よりも高い位置になるので、天板と器具の上面との間に隙間ができ、天板が浮いた状態となる。作業者は天板が器具の上面から浮いていることに容易に気づくことができるので、外観だけで天板の誤組み付けを確認できる。
【００１３】
また請求項２に係る発明の加熱調理器では、請求項１に記載の発明の効果に加え、器具側係合片に天板の係合屈曲部が正常に係合していない状態で、作業者が天板を下方に押し込むと、器具側係合片の第２延出部の凸部形状に対して、係合屈曲部の傾斜部が滑るようになっている。それ故、器具に対して天板がずれるので、作業者は誤組み付けであることを容易に確認できる。
【００１４】
また請求項３に係る発明の加熱調理器では、請求項２に記載の発明の効果に加え、器具側係合片に天板の係合屈曲部が係合していない状態で、天板を器具の上部に取り付けようとした場合、傾斜部の外側の面が第２延出部の凸部形状の頂点に接触する。この状態で作業者が天板を下方に押し込むと、凸部形状の頂点に対して傾斜部が滑り落ちる。これにより作業者は天板が誤組み付けであることを容易に確認できる。
【００１５】
また請求項４に係る発明の加熱調理器では、請求項２に記載の発明の効果に加え、器具側係合片に天板の係合屈曲部が正常に係合していない状態で、作業者が天板を下方に押し込むと、器具側係合片の凸部形状に対して、係合屈曲部の傾斜部が滑るようになっている。それ故、器具に対して天板がずれるので、器具側の固定部に対して天板側の被固定部がずれる。これにより、作業者は被固定部に対して固定部を固定できないので、天板が誤組み付けの状態で器具に固定されるのを確実に防止できる。
【００１６】
また請求項５に係る発明の加熱調理器では、請求項１から４の何れかに記載の発明の効果に加え、凸部形状は曲面であるので、器具側係合片に天板の係合屈曲部が正常に係合していない状態で、天板を下方に押し込むと、天板の係合屈曲部は凸部形状に対して滑らかに滑ることができる。これにより器具に対して天板がずれるので、誤組み付けを容易に確認できる。
【００１７】
また請求項６に係る発明の加熱調理器では、天板側係合片が器具の係合延出部に正常に係合していない場合、天板側係合片の凸部形状が係合延出部に載る状態となる。これにより天板が器具の上面よりも高い位置になるので、天板と器具の上面との間に隙間ができ、天板が浮いた状態となる。作業者は、天板が器具の上面から浮いていることに気づくことができるので、外観だけで天板の誤組み付けを容易に確認できる。
【図面の簡単な説明】
【００１８】
【図１】ビルトインコンロ１の斜視図である。
【図２】天板４を取り外した状態の器具２上部の部分拡大図である。
【図３】図２に示す二転鎖線Ｗ１で囲む領域内の拡大図である。
【図４】天板４の外周隆起部６０付近の断面図である。
【図５】カール部６５が係合片５１に正常に係合した状態を示す図である。
【図６】係合片５１の凸部５８の頂点上に、カール部６５の傾斜部６６が載置された状態を示す図である。
【図７】図６の状態から傾斜部６６が凸部５８の頂点から前方に滑り落ちた状態を示す図である。
【図８】変形例である係合片１５１の斜視図である。
【図９】変形例であるビルトインコンロ１００の断面図である。
【発明を実施するための形態】
【００１９】
以下、本発明の一実施形態であるビルトインコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００２０】
先ず、ビルトインコンロ１の構造について説明する。図１に示すように、ビルトインコンロ１は、略直方体状の器具２を備える。器具２の上部には天板４が取り付けられている。天板４の右前側には右バーナ５が設けられている。天板４の左前側には左バーナ７が設けられている。右バーナ５と左バーナ７とに挟まれる略中央の奥側にはとろ火用の中バーナ６が設けられている。天板４の後端側には複数の排気孔９が設けられている。排気孔９はスリット状である。排気孔９は器具２内に設けられたグリル庫（図示略）内に連通する。
【００２１】
器具２の正面中央にはグリル開口１２が設けられている。グリル開口１２は正面視長方形状である。グリル開口１２はグリル庫と連通する。グリル開口１２にはグリル扉１３が引き出し可能に設けられている。グリル扉１３は正面視長方形状の板部材である。グリル扉１３を手前側に引き出すと、グリル扉１３の裏面下部に連結した受け皿（図示略）を取り出すことができる。グリル扉１３の前面上半分にはグリル窓１３Ａが設けられている。グリル窓１３Ａの下方には把手１３Ｂが設けられている。
【００２２】
グリル開口１２の右側には、点火スイッチ１５，１６が各々設けられている。点火スイッチ１５は右バーナ５を点火する為に押下される。点火スイッチ１６はグリル庫内のグリルバーナ（図示略）を点火する為に押下される。グリル開口１２の左側には、点火スイッチ１７，１８が各々設けられている。点火スイッチ１７は中バーナ６を点火する為に押下される。点火スイッチ１８は左バーナ７を点火する為に押下される。
【００２３】
点火スイッチ１５，１６の下側には電池ボックス１９が設けられている。電池ボックス１９はビルトインコンロ１の電源を供給する乾電池を格納する。点火スイッチ１７，１８の下側には、操作パネル２０が回動可能に設けられている。操作パネル２０はビルトインコンロ１を操作する為の操作機器である。操作パネル２０は未使用時には器具２内に収納される。使用時には収納状態の操作パネル２０を押下する。すると操作パネル２０は器具２の外側に回動されて操作可能となる。
【００２４】
次に、器具２の構造について説明する。図２に示すように、器具２は略直方体状のケースである。器具２の上部にはケース開口部２５が設けられている。ケース開口部２５の外周には係合フランジ部２７が外方に張り出している。係合フランジ部２７は図示しないカウンタトップのカウンタ孔に係合する。係合フランジ部２７の外周端部には略Ｌ字状の差込片２９（図５参照）が設けられている。差込片２９には環状のパッキン７０が装着されている。
【００２５】
パッキン７０は樹脂製である。パッキン７０は、パッキン本体７１と、外周フランジ部７２とを備える。パッキン本体７１は係合フランジ部２７の外周縁に外嵌装着される部分である。外周フランジ部７２はパッキン本体７１の下端外周から水平方向に張り出した部分である。図５に示すように、パッキン本体７１は内側に差込スリット７５を備える。差込スリット７５はパッキン７０の内周全域に連続して形成されている。その差込スリット７５に係合フランジ部２７の差込片２９が挿入されて係合フランジ部２７の外周縁にパッキン７０が装着される。外周フランジ部７２上には、天板４の外周下部に形成された後述するカール部６５が載置される（図５参照）。
【００２６】
図２に示すように、係合フランジ部２７のうち、器具２の前壁２１に対応する前フランジ部２８の左右両側の各部分には、１又は２以上の係合片５１が各々設けられている。これら係合片５１は天板４の外周下部に形成されたカール部６５に係合する。
【００２７】
係合片５１の構造について説明する。図３に示すように、係合片５１は長方形の金属板を曲げ加工して形成されている。係合片５１は、第１延出部５５と、第２延出部５６とを備える。第１延出部５５は前フランジ部２８の上面から上方に延出する板部である。第２延出部５６は第１延出部５５の上端から前方に屈曲して水平に延出する。第２延出部５６の前端部の左右方向略中央には溝部５７が形成されている。溝部５７は後方に向かって略Ｕ字状に湾曲する溝である。その溝部５７の内側には、係合片５１を前方から見た場合に、上方に向けて円弧状に突出する半円筒状の凸部５８が設けられている。第２延出部５６は、天板４の外周下部に形成されたカール部６５の先端部６８に対して上方から係合する（図５参照）。
【００２８】
そして、器具２のケース開口部２５の奥側における左右コーナ部には、ブラケット（図示略）が内向きに突出して設けられている。各ブラケットには天板４を固定する為のネジ孔（図示略）が形成されている。さらに器具２内には右バーナ〜７を各々支持するバーナブラケット（図示略）が設けられている。各バーナブラケットにも、天板４を固定する為のネジ孔（図示略）が形成されている。ブラケット及びバーナブラケットに設けられたネジ孔は、本発明の「被固定部」の一例である。
【００２９】
次に、天板４の構造について説明する。図１に示すように、天板４は平面視長方形状の板部材である。天板４の外周縁には外周隆起部６０が形成されている。外周隆起部６０の内側には浅く絞り加工された中央凹部４Ａが設けられている。中央凹部４Ａの右前側にはバーナ用開口３１が設けられている。中央凹部４Ａの左前側にはバーナ用開口３３が設けられている。バーナ用開口３１，３３に挟まれる中央奥側には、バーナ用開口３２が設けられている。バーナ用開口３１は右バーナに対応する位置にある。バーナ用開口３２は中バーナ６に対応する位置にある。バーナ用開口３３は左バーナ７に対応する位置にある。バーナ用開口３１〜３３は略円形状である。
【００３０】
さらに、バーナ用開口３１の周囲にはリング状の凹部３１Ａが設けられている。バーナ用開口３２の周囲にはリング状の凹部３２Ａが設けられている。バーナ用開口３３の周囲にはリング状の凹部３３Ａが設けられている。凹部３１Ａ〜３３Ａは中央凹部４Ａに対して一段低くなっている。凹部３１Ａの底面には一対の透孔３５が設けられている。凹部３２Ａの底面には一対の透孔３６が設けられている。凹部３３Ａの底面には一対の透孔３７が設けられている。これら透孔３５〜３７は、器具２に設けた上記バーナブラケットの各ネジ孔に各々対応している。透孔３５〜３７から上記バーナブラケットの各ネジ孔にビス９１を締結する。それ故、天板４の中央部を器具２の上部に固定できる。
【００３１】
また、中央凹部４Ａの左右の後方コーナ部には、器具２のケース開口部２５の左右奥部に設けられた上記ブラケットに対応する透孔３８，３９が設けられている。透孔３８，３９から上記ブラケットのネジ孔にビス９２を締結する。それ故、天板４の後部を器具２の上部に固定できる。
【００３２】
また、図４に示すように、天板４の前端側の外周隆起部６０の下部にはカール部６５が設けられている。カール部６５は、天板４の外周縁を下方内側に巻き込むように形成されている。カール部６５の先端部６８の近傍には傾斜部６６が設けられている。傾斜部６６は、天板４の下面に向かって天板４の外側から内側（前方から後方）にかけて斜め上方に傾斜している。
【００３３】
次に、ビルイントコンロ１の組み立て作業について説明する。先ず、カウンタトップに設けられたカウンタ孔の周縁に、図２に示す器具２の係合フランジ部２７を係合させ、器具２を上記カウンタ孔に落とし込んだ状態で装着する。次いで、天板４の前端側の下部に形成されたカール部６５の先端部６８を、係合片５１の先端の第２延出部５６に下方から係合させる。すると、図５に示すように、カール部６５は、第２延出部５６とその下方に位置するパッキン７０の外周フランジ部７２との間に収容された状態となる。それ故、係合片５１は、天板４のカール部６５のうちの天板４の前端部に沿った領域に対して上方から係合できる。
【００３４】
次いで、天板４の中央凹部４Ａの左右の後方コーナ部に位置する左右一対の透孔３８，３９から、これに対応する器具２側のブラケットに形成された各ネジ孔に対してビス９１を各々締結する。さらに天板４の中央凹部４Ａに形成された透孔３５〜３７から、これに対応する器具２側の各バーナブラケットに形成された各ネジ孔に対してビス９２を各々締結する。これにより天板４は器具２の上部に固定され、ビルトインコンロ１の組み立て作業が完了する。
【００３５】
次に、組み立て作業時において、天板４のカール部６５が係合片５１に正常に係合していない場合について説明する。図６に示すように、天板４のカール部６５の先端部６８は、係合片５１の先端の第２延出部５６に係合していない。この場合、天板４のカール部６５は、係合片５１の第２延出部５６に設けられた凸部５８の頂上に載置された状態となる。この場合、天板４の前端側が上方に浮いた状態となる。それ故、天板４は傾き、天板４と器具２の係合フランジ部２７の外周縁に装着されたパッキン７０との間に大きな隙間が形成される。作業者は天板４とパッキン７０との間に出来た大きな隙間に簡単に気づくことができる。従って、作業者は天板４が器具２に対して誤組み付けであることを外観から容易に判断できる。
【００３６】
ところが、作業者によっては、天板４とパッキン７０との間に出来た隙間に気づかないことも想定される。例えば、図６に示すように、天板４のカール部６５が係合片５１に正常に係合していない状態で、天板４が器具２の上部に対して水平方向への位置ずれ無く配置されている場合、係合片５１の凸部５８の頂点上には、カール部６５の傾斜部６６の外側部分が接触している。作業者は誤組み付けに気づかないので、天板４を器具２に固定する為に、天板４を下方に押し込んでビス９１，９２を無理に締結しようとする。
【００３７】
ここで、上記の通り、傾斜部６６は、天板４の下面に向かって天板４の外側から内側にかけて斜め上方に傾斜している。それ故、図６，図７に示すように、凸部５８の頂点に接触するカール部６５の傾斜部６６に沿って、天板４は前方に滑り落ちる。このとき、図７に示すように、天板４は器具２に対してさらに前方に大きくずれる。つまり、器具２内に設けられたブラケット及びバーナブラケットに設けた各ネジ孔と、天板４に設けられた各透孔３５〜３９の位置とが水平方向において互いにずれるので、ビス９１，９２を締結できない。それ故、作業者は天板４が器具２に対して誤組み付けであることを確実に確認できる。
【００３８】
以上説明したように、本実施形態のビルトインコンロ１において、天板４の前端側の下部にはカール部６５が形成されている。カール部６５は、天板４の外周縁を下方内側に巻き込むように形成されている。器具２の前フランジ部２８には、複数の係合片５１が設けられている。係合片５１は、第１延出部５５と、第２延出部５６とを備える。第１延出部５５は上下方向に起立する板部である。第２延出部５６は第１延出部５５の上端から前方に対して水平に屈曲する。第２延出部５６の前端部の左右方向略中央には、後方に向かって略Ｕ字状に湾曲する溝部５７が形成されている。その溝部５７の内側には、上方に向けて円弧状に突出する半円筒状の凸部５８が設けられている。
【００３９】
第２延出部５６は天板４の前端側の下部に形成されたカール部６５の先端部６８に対して上方から係合する。天板４のカール部６５の先端部６８が係合片５１の先端の第２延出部５６に係合していない場合、天板４のカール部６５は、係合片５１の第２延出部５６に設けられた凸部５８の頂上に載置された状態となる。この場合、天板４と器具２の係合フランジ部２７に装着されたパッキン７０との間に隙間が形成されるので、天板４の前端側が浮いた状態となる。それ故、作業者は、天板４の前端側が浮いていることに気づくことができるので、外観だけで天板４の誤組み付けを容易に確認できる。
【００４０】
また本実施形態では特に、係合片５１に天板４のカール部６５が正常に係合していない状態で、作業者が天板４を下方に押し込むと、第２延出部５６の凸部５８に対して、カール部６５の傾斜部６６が滑るようになっている。それ故、器具２に対して天板４がずれるので、作業者は誤組み付けであることを容易に確認できる。
【００４１】
また本実施形態では特に、第２延出部５６に天板４のカール部６５が係合していない状態で、天板４を器具２の上部に取り付けようとした場合、傾斜部６６の外側の面が第２延出部５６の凸部５８の頂点に接触する。この状態で作業者が天板４を下方に押し込むと、凸部５８の頂点に対して傾斜部６６が滑り落ちる。これにより作業者は誤組み付けであったことがわかるので、第２延出部５６に天板４のカール部６５を係合させることができる。
【００４２】
また本実施形態では特に、第２延出部５６に天板４のカール部６５が正常に係合していない状態で、作業者が天板４を下方に押し込むと、第２延出部５６の凸部５８に対して、カール部６５の傾斜部６６が滑るようになっている。それ故、器具２に対して天板４がずれるので、器具２側のブラケット、及びバーナブラケットに設けた各ネジ孔と、天板４側に設けられた各透孔３５〜３９の位置とが互いにずれるので、ビス９１，９２を締結できない。それ故、作業者は天板４が器具２に対して誤組み付けであることを容易に確認できると共に、天板２が誤組み付けの状態で器具２に固定されることを確実に防止できる。ビス９１，９２は本発明の「固定部」の一例である。
【００４３】
また本実施形態では特に、凸部５８は曲面であるので、第２延出部５６に天板４のカール部６５が正常に係合していない状態で、天板４を下方に押し込むと、天板４のカール部６５は凸部５８に対して滑らかに滑ることができる。これにより器具２に対して天板４がずれるので、誤組み付けであることを容易に確認できる。
【００４４】
なお本発明は上記実施形態に限定されるものではなく、種々の変更が可能である。例えば、係合片５１の凸部５８は、第２延出部５６に設けた溝部５７の内側に設けた上方に突出する半円筒状である。例えば、平板状の第２延出部５６の上面に円弧状に隆起した凸部を設けてもよい。
【００４５】
また、図８に示す変形例である係合片１５１のように、半円筒状である凸部１５８の前端面１５９を緩やかな傾斜面としてもよい。例えば、図４に示す天板４のカール部６５の先端部６８が係合片１５１の先端の第２延出部５６に係合していない場合、天板４のカール部６５は、係合片１５１の第２延出部５６に設けられた凸部１５８の頂上に載置された状態となる。この状態で、天板４を器具２の上部に取り付けようとした場合、傾斜部６６の外側の面が第２延出部５６の凸部１５８の頂点に接触する。この状態で作業者が天板４を下方に押し込むと、凸部１５８の頂点から前端面１５９に沿って傾斜部６６は緩やかに滑り落ちることができる。
【００４６】
また上記実施形態では、器具２の前壁２１に対応する前フランジ部２８の左右両側の各部分には、１又は２以上の係合片５１が各々設けられているが、係合片５１の数については限定しない。さらに、係合片５１を前フランジ部２８以外の係合フランジ部２７に設けてもよい。
【００４７】
また、上記実施形態は、器具２側に複数の係合片５１を設けたものであるが、例えば、天板側に係合片を設けてもよい。例えば、図９に示す変形例であるビルトインコンロ１００は、器具２００と、天板１１０とを備える。器具２００は略直方体状のケースである。器具２００の上部にはケース開口部２０１が設けられている。ケース開口部２０１の縁部には係合延出部２０２が設けられている。係合延出部２０２はケース開口部２０１の内方に向かって略水平に延出されている。天板１１０の下面には天板側係合片１２０が設けられている。天板側係合片１２０は、第３延出部１２５と、第４延出部１２６とを備える。第３延出部１２５は、天板１１０の下面に固定された支持板１０２の前端部から屈曲して鉛直下方に延出されている。第４延出部１２６は第３延出部１２５の下端から前方に対して水平に屈曲する。第４延出部１２６の前端部の左右方向略中央には、後方に向かって略Ｕ字状に湾曲する溝部１２７が形成されている。その溝部１２７の内側には、下方に向けて円弧状に突出する半円筒状の凸部１２８が設けられている。第４延出部１２６は器具２００の係合延出部２０２に対して下方から係合する。
【００４８】
そして、例えば、器具２００の係合延出部２０２に対して、天板側係合片１２０の先端の第４延出部１２６が下方から係合していない場合、天板側係合片１２０の凸部１２８が器具２００の係合延出部２０２の上面に載置した状態となる。この場合、上記実施形態と同様に、天板１１０の前端側が上方に浮いた状態となる。それ故、天板１１０は傾き、天板１１０と器具２００の上部との間に大きな隙間が形成される。作業者は天板１１０と器具２００の上部との間に出来た大きな隙間に簡単に気づくことができる。従って、作業者は天板１１０が器具２００に対して誤組み付けであることを外観から容易に判断できる。
【００４９】
また上記実施形態では、加熱調理器の一例としてビルトインコンロ１を説明したが、器具に天板を取り付けるものであればよく、例えば通常のコンロでもよく、コンロ以外の加熱調理器でもよい。
【符号の説明】
【００５０】
１  ビルトインコンロ
２  器具
４  天板
２５  ケース開口部
２７  係合フランジ部
２８  前フランジ部
３１Ａ  凹部
３５〜３７、３８，３９  透孔
５１  係合片
５５  第１延出部
５６  第２延出部
５７  溝部
５８  凸部
６５  カール部
６６  傾斜部
６８  先端部
９１，９２  ビス
１００  ビルトインコンロ
１１０  天板
１２０  天板側係合片
１２５  第３延出部
１２６  第４延出部
１２７  溝部
１２８  凸部
１５１  係合片
２００  器具
２０１  ケース開口部
２０２  係合延出部
【図１】
0005819155.tif 000002
【図２】
0005819155.tif 000003
【図３】
0005819155.tif 000004
【図４】
0005819155.tif 000005
【図５】
0005819155.tif 000006
【図６】
0005819155.tif 000007
【図７】
0005819155.tif 000008
【図８】
0005819155.tif 000009
【図９】
0005819155.tif 000010